(57)【特許請求の範囲】
【請求項１】
複数の車両情報を切り替えて表示する表示手段と、
前記表示手段を照明する照明手段と、
前記車両情報を入力し前記表示手段と前記照明手段とを制御する制御手段と、
を備えてなる車両用計器であって、
前記照明手段は、異なる照明色にて前記表示手段を照明するため複数種類の光源を設けてなり、
前記制御手段は、車両の走行モードに対応させて前記表示手段に表示される前記車両情報を自動的に切り替えるように促す制御信号を前記表示手段に出力するとともに、
前記表示手段の照明色を変えるように促す制御信号を前記照明手段に出力することを特徴とする車両用計器。
【請求項２】
前記制御手段は、前記車両の加速度情報に基づいて、前記表示手段に表示される前記車両情報を自動的に切り替えることを特徴とする請求項１に記載の車両用計器。
【請求項３】
前記表示手段は、車両情報の値に応じて回動する指針と、この指示対象となる指標部を有する表示板とを設けることを特徴とする請求項１に記載の車両用計器。
【請求項４】
前記制御手段は、燃費情報、またはエンジン回転数情報のうち何れかを車両情報として前記表示手段に出力させることを特徴とする請求項１に記載の車両用計器。
【発明の詳細な説明】
【技術分野】
【０００１】
本発明は、車両用計器に関し、特に、複数の車両情報を切り替えて表示する表示手段と、前記表示手段を照明する照明手段と、前記車両情報を入力し前記表示手段と前記照明手段とを制御する制御手段とを備えてなる車両用計器に関する。
【背景技術】
【０００２】
車両用計器として、例えば、特許文献１に示すように、燃費情報とエンジン回転数とを単一の指針式表示手段によって切り替え表示するものが提案されている。車両利用者は、燃費情報、あるいはエンジン回転数を知りたい場合に専用のスイッチを操作することによって表示される情報を切り替えるように構成している。
【先行技術文献】
【特許文献】
【０００３】
【特許文献１】特開２００１−１４７６５３号公報
【発明の概要】
【発明が解決しようとする課題】
【０００４】
しかしながら、上述した車両用計器にあっては、所望の情報が表示されるように、表示手段の切り替え操作が必要であるため、車両利用者にとって煩わしさを感じさせることが問題点としてあった。
【０００５】
そこで本発明の目的とするところは、上述した課題に着目してなされたものであり、車両利用者による操作の煩わしさを軽減できる車両用計器を提供することにある。
【課題を解決するための手段】
【０００６】
本発明の車両用計器は、複数の車両情報を切り替えて表示する表示手段と、前記表示手段を照明する照明手段と、前記車両情報を入力し前記表示手段と前記照明手段とを制御する制御手段と、を備えてなる車両用計器であって、前記照明手段は、異なる照明色にて前記表示手段を照明するため複数種類の光源を設けてなり、前記制御手段は、車両の走行モードに対応させて前記表示手段に表示される前記車両情報を自動的に切り替えるように促す制御信号を前記表示手段に出力するとともに、前記表示手段の照明色を変えるように促す制御信号を前記照明手段に出力することを特徴とする車両用計器
【０００８】
また、前記制御手段は、前記車両の加速度情報に基づいて、前記表示手段に表示される前記車両情報を自動的に切り替えることを特徴とする。
【０００９】
また、前記表示手段は、車両情報の値に応じて回動する指針と、この指示対象となる指標部を有する表示板とを設けることを特徴とする。
【００１０】
また、前記制御手段は、燃費情報、またはエンジン回転数情報のうち何れかを車両情報として前記表示手段に出力させることを特徴とする。
【発明の効果】
【００１１】
本発明は、複数の車両情報を切り替えて表示する表示手段と、前記表示手段を照明する照明手段と、前記車両情報を入力し前記表示手段と前記照明手段とを制御する制御手段とを備えてなる車両用計器に関し、車両利用者による操作の煩わしさを軽減できる。
【図面の簡単な説明】
【００１２】
【図１】本発明の実施の形態の電気的な構成を示す図。
【図２】同上実施の形態の構成を一部断面にて示す図。
【発明を実施するための形態】
【００１３】
以下、本発明の車両用計器の実施の形態として、車両に搭載された指針を用いた指示計器に適用したものを例に挙げて、添付図面を用いて説明する。
【００１４】
図１は、本発明に関する指針式計器の電気的な構成を示すものであり、制御手段１と、駆動手段２と、照明手段３と、を備えている。
【００１５】
制御手段１は、ＣＰＵやＲＡＭ、インターフェイスなどを設けたマイクロコンピュータを適用でき、計測値や起動信号を含む車両情報をネットワークケーブルやハードワイヤを介して入力し、この車両情報に基づく所定演算処理によって、駆動手段２や照明手段３を作動制御するための制御信号を生成し出力する。この場合、制御手段１は、車両の走行速度情報や燃料消費情報、エンジン回転数情報、イグニションスイッチからの信号だけでなく、図示しない車両走行モード切り替え用スイッチからの信号も前記車両情報として入力することができる。
【００１６】
駆動手段２は、モータを適用でき、制御手段１からの制御信号に基づいて、指針４を回動させる駆動源となる。
【００１７】
照明手段３は、発光ダイオードを適用でき、指針４と指標部５１を透過照明するバックライトであり、制御手段１からの制御信号に基づいて点灯／消灯制御される。また、照明手段３は、異なる発光色の光源を用いており、この場合、青色、及び白色が用意され、選択的に指針４と表示板５とを照明することができる。
【００１８】
なお、制御手段１や駆動手段２、照明手段３は、表示板５の背面側に設けられる回路基板Ｐに実装され、指針４は、表示板５の表面側において面方向に回動可能に設けられる。また、表示板５は、透光性基板に所定パターンの指標部５１が形成されるように印刷処理がなされている。指標部５１は、目盛りや数字、文字などによって指針４によって計測値を対比判読できるような形状である。この場合、エンジン回転数に対応する目盛り、及び単位を示す表示と、瞬間燃費値に対応する目盛り、及び単位を示す表示とが併記されている。
【００１９】
次に本発明に関する制御手段１による制御処理について説明する。
【００２０】
制御手段１は、上述した車両走行モードの切り替え用スイッチの操作状態を監視し、現在の設定状態が、何れのモードであるかを前記スイッチからの信号（所定信号）に基づいてモード判定する。この場合、車両走行モードとして、低燃費モードやスポーツモードが設けられており、エンジン制御における特性を切り替えることができる。
【００２１】
次に制御手段１は、前記モード判定によって、現在の設定状態が、低燃費モードにあるときには、入力した車両情報に基づいて瞬間燃費値を算出し、指針４が算出された瞬間燃費値を示すように駆動手段２を制御する。この際、制御手段１は、照明手段３のうち白色の発光色のものを点灯させ、青色の発光色のものを消灯することによって、指針４と表示板５とを白色に照明するように促す制御信号を照明手段３に出力する。
【００２２】
また、制御手段１は、前記モード判定によって、現在の設定状態が、スポーツモードにあるときには、入力した車両情報に基づいてエンジン回転数を算出し、指針４が算出されたエンジン回転数を示すように駆動手段２を制御する。また、制御手段１は、照明手段３のうち青色の発光色のものを点灯させ、白色の発光色のものを消灯することによって、指針４と表示板５とを青色に照明するように促す制御信号を照明手段３に出力する。
【００２３】
以上の処理によって、車両利用者によるモード設定に連動して、指針４や表示板５によって構成される表示手段が出力する車両情報を自動的に切り替えることができる。また、表示内容の切り替えに際して、照明手段３による照明色も切り替えることができるため、車両利用者は、現在の前記表示手段に表示される車両情報の内容や、現在の車両走行モードについて新たな操作や確認作業を行うことなく簡単に識別できる。
【００２４】
斯かる車両用計器は、複数の車両情報を切り替えて表示する表示手段と、前記表示手段を照明する照明手段３と、前記車両情報を入力し前記表示手段と照明手段３とを制御する制御手段１と、を備えてなる車両用計器であって、照明手段３は、異なる照明色にて前記表示手段を照明するため複数種類の光源を設けてなり、制御手段１は、所定信号の入力に基づいて前記表示手段に表示される前記車両情報を切り替えるとともに、前記表示手段の照明色を変えるように促す制御信号を前記表示手段や照明手段３に出力してなる。
【００２５】
従って、表示手段に表示される車両情報を切り替えるための操作を自動化し、車両利用者による操作の煩わしさを軽減できる。
【００２６】
また、制御手段１は、前記所定信号として、車両の走行モードに対応させて前記表示手段に表示される前記車両情報を自動的に切り替えてなることによって、車両走行モードの切り替えと兼用して表示切り換え処理できるため、車両利用者による操作の煩わしさを軽減できる。
【００２７】
なお、上述した実施の形態としては、指針４や表示板５からなる表示手段の出力内容となる車両情報を、車両走行モード切り替え用のスイッチから送信される所定信号に応じて切り替えるようにしたが、他の切り替え条件を用いることもでき、例えば、車両情報として入力される加速度情報、あるいは走行速度情報によって算出される加速度情報に応じて表示手段に表示される車両情報を切り替えることもできる。この場合、制御手段１は、車両の加速度が所定のしきい値（例えば、１．５Ｇ）以上であるか否かを判定し、加速度が所定のしきい値以上であれば、エンジン回転数を青色にて表示し、所定のしきい値未満であれば、燃費情報を白色にて表示させることができる。
【００２８】
また、表示手段は、車両情報の値に応じて回動する指針４と、この指示対象となる指標部５１を有する表示板５とを設けてなることによって、指針式計器においても車両利用者による操作の煩わしさを軽減して表示切り替えを行うことができる。なお、指針式計器を用いて説明したが、表示手段として、液晶表示パネルや有機ＥＬパネルなどを用いて表示出力する、所謂デジタル表示器を用いることもでき、上述と同様の効果を得ることができる。
【００２９】
また、制御手段１は、燃費情報、またはエンジン回転数情報のうち何れかを車両情報として前記表示手段に出力させることで、走行状態に応じた表示切り替えを行うことができる。なお、残燃料量情報や平均燃費情報など、他の車両情報を選択的に用いることもできる。
【００３０】
また、照明手段３による照明色は、上述した実施の形態に示す色だけでなく、他の色を適用することも可能である。これらの車両情報や照明色の設定については、車両利用者の好みに応じて予め設定できるように構成することもできる。また、自動的な表示切り換えについて許可しない設定も考えられる。
【産業上の利用可能性】
【００３１】
本発明は、例えば、自動車、オートバイ、あるいは農業機械や建設機械を備えた移動体に搭載される車両用計器として適用できる。
【符号の説明】
【００３２】
１    制御手段
２    駆動手段
３    照明手段
４    指針
５    表示板
５１  指標部
【図１】
0005429474.tif 000002
【図２】
0005429474.tif 000003